Podtech/llm-jp-corpus-v4-ja_patent huggingface dataset:
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
式ＩＩＩａ：
【化１】
2018509409.tif 000001
の構造を有する請求項１に記載の化合物、またはその医薬的に許容される塩、医薬的に許容される溶媒和物、もしくは医薬的に許容される水和物であって、式中、Ｒ２１及びＲ２２は、独立して、Ｎ９位を介して前記構造に結合するグアニンまたはアデニンであり、ただし、Ｒ２１及びＲ２２がともにグアニンであることはない、前記化合物、またはその医薬的に許容される塩、医薬的に許容される溶媒和物、もしくは医薬的に許容される水和物。
【請求項２】
Ｒ２１及びＲ２２がともにアデニンである、請求項１に記載の化合物。
【請求項３】
Ｒ２１がアデニンであり、Ｒ２２がグアニンである、請求項１に記載の化合物。
【請求項４】
構造：
【化２】
2018509409.tif 000002
を有する化合物３’３’−ＲＲ−（２’Ｆ−Ａ）（２’Ｆ−Ａ）、またはそのプロドラッグ、医薬的に許容される塩、医薬的に許容される溶媒和物、もしくは医薬的に許容される水和物。
【請求項５】
構造：
【化３】
2018509409.tif 000003
を有する化合物３’３’−ＲＲ−（２’Ｆ−Ｇ）（２’Ｆ−Ａ）、またはそのプロドラッグ、医薬的に許容される塩、医薬的に許容される溶媒和物、もしくは医薬的に許容される水和物。
【請求項６】
前記化合物が、そのナトリウム、カリウム、カルシウム、マグネシウム、亜鉛、アルミニウム、アンモニウム、ジエチルアミン、オラミン、ベンザチン、ベネタミン、トロメタミン（２−アミノ−２−（ヒドロキシメチル）プロパン−１，３−ジオール）、モルホリン、エポラミン、ピペリジン、ピコリン、ジシクロヘキシルアミン、Ｎ，Ｎ’−ジベンジルエチレンジアミン、２−ヒドロキシエチルアミン、トリ（２−ヒドロキシエチル）アミン、クロロプロカイン、コリン、デアノール、イミダゾール、ジエタノールアミン、エチレンジアミン、メグルミン（Ｎ−メチルグルカミン）、プロカイン、ジベンジルピペリジン、デヒドロアビエチルアミン、グルカミン、コリジン、キニーネ、キノロン、エルブミン、リジン、またはアルギニン塩である、請求項１から５のいずれか一項に記載の化合物。
【請求項７】
前記化合物がそのナトリウム塩である、請求項１から５のいずれか一項に記載の化合物。
【請求項８】
請求項１から７のいずれか一項に記載の１つ以上の化合物及び医薬的に許容される賦形剤を含む医薬組成物。
【請求項９】
請求項１から７のいずれか一項に記載の１つ以上の化合物、別の治療薬、及び医薬的に許容される賦形剤を含む医薬組成物。
【請求項１０】
がんに罹患している個体の治療方法であって、前記個体に、請求項１から７のいずれか一項に記載の化合物、または請求項８もしくは９に記載の組成物の有効量を、非経口的でなく、または非経口的に投与することを含む、前記方法。
【請求項１１】
さらに、前記個体に対する１つ以上のさらなるがん治療の実施を含む請求項１０に記載の方法であって、前記１つ以上のさらなるがん治療が、放射線療法、外科手術、化学療法、または免疫療法からなる群から選択される、前記方法。
【請求項１２】
個体の疾患の治療方法であって、それを必要とする前記個体に対して、ｉ）請求項１から７のいずれか一項に記載の化合物または請求項８もしくは９に記載の組成物の有効量；及びｉｉ）抗体依存性細胞傷害性を誘導する１つ以上の治療抗体の有効量を投与することを含み、前記疾患が、がん、臓器移植の急性拒絶、Ｉ型糖尿病、関節リウマチ、乾癬、クローン病、再狭窄、及びアレルギー性喘息からなる群から選択される、前記方法。
【請求項１３】
がんの治療に用いる、請求項１から７のいずれか一項に記載の化合物。
【請求項１４】
がん、臓器移植の急性拒絶、Ｉ型糖尿病、関節リウマチ、乾癬、クローン病、再狭窄、及びアレルギー性喘息からなる群から選択される疾患の治療に用いる、請求項１から７のいずれか一項に記載の化合物。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
アルコールの摂取に伴う症状を抑制するための組成物であって、
アルコール摂取の前に投与するための有効量の医薬組成物を含み、医薬組成物が、
a)非ステロイド性抗炎症薬及び/又はその塩、並びにb)H1-抗ヒスタミン薬を含み、
アルコールの摂取に伴う症状が抑制される、
組成物。
【請求項２】
アルコールが、飲料の形態のエタノールである、請求項1に記載の組成物。
【請求項３】
非ステロイド性抗炎症薬が、アスピリン、イブプロフェン、ナプロキセン、ジクロフェナク、ジフルニサル、エトドラク、インドメタシン、ケトプロフェン、ケトロラク、メロキシカム、ナブメトン、オキサプロジン、ピロキシカム、サルサレート、スリンダク、及びトルメチンからなる群から選択される、請求項1に記載の組成物。
【請求項４】
H1-抗ヒスタミン薬が、フェキソフェナジン、ロラタジン、セチリジン及びデスロラタジンからなる群から選択される、請求項1に記載の組成物。
【請求項５】
非ステロイド性抗炎症薬が、ナプロキセンナトリウムであり、及び、H1-抗ヒスタミン薬がフェキソフェナジンである、請求項1に記載の組成物。
【請求項６】
ナプロキセンナトリウムの量が、220mgから880mgであり、及び、フェキソフェナジンの量が、60mgから120mgである、請求項5に記載の組成物。
【請求項７】
ナプロキセンナトリウム及びフェキソフェナジンが、1単位用量に組み合わせられた、請求項6に記載の組成物。
【請求項８】
ナプロキセンナトリウム及びフェキソフェナジンが、錠剤、ドロップ又はチューインガムの形態である、請求項6に記載の組成物。
【請求項９】
アルコールの過剰な摂取が、0.17%までの血中アルコール濃度をもたらす量である、請求項1に記載の組成物。
【請求項１０】
アルコールの摂取の最大60分前に投与するための、請求項1に記載の組成物。
【請求項１１】
アルコールの摂取の最大5分前に投与するための、請求項1に記載の組成物。
【請求項１２】
症状が、疲労及び/又は頭痛を含む、請求項1に記載の組成物。
【請求項１３】
イブプロフェンの量が、200mgから800mgである、請求項3に記載の組成物。
【請求項１４】
アスピリンの量が、325mgからl000mgである、請求項3に記載の組成物。
【請求項１５】
ロラタジンの量が、l0mgから20mgである、請求項4に記載の組成物。
【請求項１６】
セチリジンの量が、5mgから20mgである、請求項4に記載の組成物。
【請求項１７】
デスロラタジンの量が、5mgからl0mgである、請求項4に記載の組成物。
【請求項１８】
症状が、渇きを含む、請求項1に記載の組成物。
【請求項１９】
アルコールの摂取に伴う症状を抑制するための組成物であって、
アルコール摂取の前に投与するための有効量の医薬組成物を含み、医薬組成物が、本質的に、
a)220mgから880mgのナプロキセンナトリウム、及び60mgから120mgのフェキソフェナジンからなり、
アルコールの摂取に伴う症状が抑制される、
組成物。
【請求項２０】
a)非ステロイド性抗炎症薬、及び/又はその塩、並びにb)非鎮静性H1-抗ヒスタミン薬を含む医薬組成物。
【請求項２１】
口腔内溶解錠又はドロップの形態である、請求項20に記載の医薬組成物。
【請求項２２】
非ステロイド性抗炎症薬が、アスピリン、イブプロフェン、ナプロキセン、ジクロフェナク、ジフルニサル、エトドラク、インドメタシン、ケトプロフェン、ケトロラク、メロキシカム、ナブメトン、オキサプロジン、ピロキシカム、サルサレート、スリンダク、及びトルメチンからなる群から選択される、請求項20に記載の医薬組成物。
【請求項２３】
非鎮静性H1-抗ヒスタミン薬が、フェキソフェナジン、ロラタジン、セチリジン及びデスロラタジンからなる群から選択される、請求項20に記載の医薬組成物。
【請求項２４】
非ステロイド性抗炎症薬が、ナプロキセンナトリウムであり、及びH1-抗ヒスタミン薬がフェキソフェナジンである、請求項20に記載の医薬組成物。
【請求項２５】
ナプロキセンナトリウムの量が、110mgから900mgであり、及びフェキソフェナジンの量が25mgから200mgである、請求項24に記載の医薬組成物。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
治療効果のある量のｐ４０モノマーに対する抗体またはその免疫学的に活性な断片を含む、がんの治療に使用するための組成物。
【請求項２】
前記抗体またはその免疫学的に活性な断片が、ＩＬ−１２シグナル伝達を刺激する、請求項１に記載の使用のための組成物。
【請求項３】
前記抗体またはその免疫学的に活性な断片が、ＩＦＮ−γの産生を上方制御する、請求項１に記載の使用のための組成物。
【請求項４】
前記抗体またはその免疫学的に活性な断片が、モノクロナール抗体またはその免疫学的に活性な断片である、請求項１から３のいずれか１に記載の使用のための組成物。
【請求項５】
前記ｐ４０モノマーに対する抗体またはその免疫学的に活性な断片が、ポリクロナール、モノクロナール、ヒト、ヒト化及びキメラ抗体；単鎖抗体；及びエピトープ結合抗体の断片からなる群より選ばれる、請求項１から４のいずれか１に記載の使用のための組成物。
【請求項６】
前記抗体またはその免疫学的に活性な断片が、ｐ４０ホモ二量体の活動を著しく中和しない、請求項１から５のいずれか１に記載の使用のための組成物。
【請求項７】
前記がんが、前立腺がん、乳がん、肝臓がん、大腸がん、卵巣がん及びすい臓がんからなる群より選ばれる、請求項１から６のいずれか１に記載の使用のための組成物。
【請求項８】
前記がんが、ｐ４０モノマーの過剰産生を特徴とするがんである、請求項１から７のいずれか１に記載の使用のための組成物。
【請求項９】
前記組成物が、さらに少なくとも１の薬学的に許容される担体を含む、請求項１から８のいずれか１に記載の使用のための組成物。
【請求項１０】
前記組成物がヒト対象に投与される、請求項１から９のいずれか１に記載の使用のための組成物。
【請求項１１】
前記抗体またはその免疫学的に活性な断片が、少なくともカベオリン媒介経路を通じたＩＬ−１２Ｒβ１のインターナリゼーションを減少させる、請求項１に記載の使用のための組成物。
【請求項１２】
前記抗体またはその免疫学的に活性な断片が、ヒト化抗体またはその免疫学的に活性な断片である、請求項１から１１のいずれか１に記載の使用のための組成物。
【請求項１３】
前記組成物が経口投与、または、皮下、関節内、皮内、静脈内、腹腔内及び筋肉内経路からなる群より選ばれる経路によって投与される、請求項１から１２のいずれか１に記載の使用のための組成物。
【請求項１４】
細胞死の誘導に治療目的で使用するための、ｐ４０モノマーに対する抗体またはその免疫学的に活性な断片を含む組成物。
【請求項１５】
細胞ががん細胞であり、好ましくは前記がん細胞はｐ４０モノマーの過剰産生を示し、またはがん細胞が、前立腺がん細胞、乳がん細胞、肝臓がん細胞、大腸がん細胞、卵巣がん細胞、及びすい臓がん細胞からなる群より選ばれる、請求項１４に記載の使用のための抗体またはその免疫学的に活性な断片を含む組成物。
【手続補正２】
【補正対象書類名】明細書
【補正対象項目名】００４０
【補正方法】変更
【補正の内容】
【００４０】
本発明はその特定の実施態様を参照して説明及び例証されているが、該発明がそれら実施態様に限られることを意図するものではない。以下特許請求の範囲に規定されている本発明の真の範囲及び趣旨から逸脱することなく、変形や修正を施すことは可能であることを当業者であれば認識するであろう。したがって、添付された請求の範囲の範囲内及びそれと同等なすべてのそのような変形及び修正は、発明に含まれることを意図している。
本発明のまた別の態様は、以下のとおりであってもよい。
〔１〕がんの治療を必要とする対象に対して、治療効果のある量のｐ４０モノマーに対する抗体またはその免疫学的に活性な断片を含む組成物を投与することを含む、がんを治療する方法。
〔２〕前記抗体またはその免疫学的に活性な断片が、ＩＬ−１２シグナル伝達の阻害を抑制する、前記〔１〕記載の方法。
〔３〕前記抗体またはその免疫学的に活性な断片が、ＩＦＮ−γの産生を上方制御する、前記〔１〕記載の方法。
〔４〕前記抗体またはその免疫学的に活性な断片が、モノクロナール抗体またはその免疫学的に活性な断片である、前記〔１〕記載の方法。
〔５〕前記ｐ４０モノマーに対する抗体またはその免疫学的に活性な断片が、ポリクロナール、モノクロナール、ヒト、ヒト化及びキメラ抗体；単鎖抗体；及びエピトープ結合抗体の断片からなる群より選ばれる、前記〔１〕記載の方法。
〔６〕前記抗体またはその免疫学的に活性な断片が、ｐ４０ホモ二量体の活動を著しく中和しない、前記〔１〕記載の方法。
〔７〕前記がんが、前立腺がん、乳がん及び肝臓がんからなる群より選ばれる、前記〔１〕記載の方法。
〔８〕前記がんが、ｐ４０モノマーの過剰産生を特徴とするがんである、前記〔１〕記載の方法。
〔９〕前記組成物が、さらに少なくとも１の薬学的に許容される担体を含む、前記〔１〕記載の方法。
〔１０〕前記対象がヒト対象である、前記〔１〕記載の方法。
〔１１〕前記抗体またはその免疫学的に活性な断片が、少なくともカベオリン媒介経路を通じたＩＬ−１２Ｒβ１のインターナリゼーションを減少させる、前記〔１〕記載の方法。
〔１２〕前記抗体またはその免疫学的に活性な断片が、ヒト化抗体またはその免疫学的に活性な断片である、前記〔１〕記載の方法。
〔１３〕前記組成物が経口投与される、前記〔１〕記載の方法。
〔１４〕前記組成物が、皮下、関節内、皮内、静脈内、腹腔内及び筋肉内経路からなる群より選ばれる経路によって投与される、前記〔１〕記載の方法。
〔１５〕細胞に、ｐ４０モノマーに対する抗体またはその免疫学的に活性な断片を、細胞死を誘導するために十分な量、接触させることを含む、細胞死を誘導する方法。
〔１６〕前記細胞ががん細胞である、前記〔１５〕記載の方法。
〔１７〕前記がん細胞が、ｐ４０モノマーの過剰産生を示す、前記〔１６〕記載の方法。
〔１８〕前記がん細胞が、前立腺がん細胞、乳がん細胞、及び肝臓がん細胞からなる群より選ばれる、前記〔１６〕記載の方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
２型糖尿病患者における血糖管理における使用のための組み合わせ医薬であって、
（ａ）  リキシセナチド又は／及びその薬学的に許容しうる塩、
（ｂ）  インスリングラルギン又は／及びその薬学的に許容しうる塩、並びに
（ｃ）  場合により、メトホルミン又は／及びその薬学的に許容しうる塩
を含み、
該２型糖尿病は、基礎インスリンと１〜３つの経口抗糖尿病薬のみとで適切に管理されず、該１〜３つの経口抗糖尿病薬は、スルホニル尿素、ＤＰＰ−４阻害剤及びグリニドからなる群より選択される、
上記組み合わせ。
【請求項２】
処置しようとする２型糖尿病が、化合物（ｂ）及び場合により化合物（ｃ）のみでは適切に管理されない、請求項１に記載の使用のための組み合わせ医薬。
【請求項３】
処置しようとする患者が肥満である、請求項１又は２に記載の使用のための組み合わせ医薬。
【請求項４】
処置しようとする患者が、少なくとも６５歳の年齢を有する、請求項１〜３のいずれか１項に記載の使用のための組み合わせ医薬。
【請求項５】
請求項１に記載の組み合わせを用いた治療の開始前に、患者は、基礎インスリンと１〜３つの経口抗糖尿病薬のみとで処置された場合に、少なくとも９ｍｍｏｌ／Ｌの空腹時血漿グルコースを有し、該１〜３つの経口抗糖尿病薬は、スルホニル尿素、ＤＰＰ−４阻害剤及びグリニドからなる群より選択される、請求項１〜４のいずれか１項に記載の使用のための組み合わせ医薬。
【請求項６】
請求項１に記載の組み合わせを用いた治療の開始前に、患者は、化合物（ｂ）及び場合により化合物（ｃ）のみで処置された場合に、５．６〜６．９ｍｍｏｌ／Ｌの範囲の空腹時血漿グルコース濃度又は少なくとも６．６ｍｍｏｌ／Ｌの空腹時血漿グルコース濃度を
有する、請求項１〜５のいずれか１項に記載の使用のための組み合わせ医薬。
【請求項７】
請求項１に記載の組み合わせを用いた治療の開始前に、患者は、基礎インスリンと１〜３つの経口抗糖尿病薬のみとで用いて処置された場合に、少なくとも８．５％のＨｂＡ１ｃを有し、該１〜３つの経口抗糖尿病薬は、スルホニル尿素、ＤＰＰ−４阻害剤及びグリニドからなる群より選択される、請求項１〜６のいずれか１項に記載の使用のための組み合わせ医薬。
【請求項８】
請求項１に記載の組み合わせを用いた治療の開始前に、患者は、化合物（ｂ）及び場合により化合物（ｃ）のみで処置された場合、少なくとも７．５％のＨｂＡ１ｃを有する、請求項１〜７のいずれか１項に記載の使用のための組み合わせ医薬。
【請求項９】
基礎インスリンが、インスリングラルギン、インスリンデテミル及びイソフェンインスリン（ＮＰＨインスリン）から選択される、請求項５〜８のいずれか１項に記載の使用のための組み合わせ医薬。
【請求項１０】
患者は、スルホニル尿素、ＤＰＰ−４阻害剤及びグリニドの少なくとも１つを用いる併用処置を受けていない、請求項１〜９のいずれか１項に記載の使用のための組み合わせ医薬。
【請求項１１】
処置しようとする患者において、２型糖尿病は、化合物（ａ）、（ｂ）及び場合により（ｃ）を用いた治療の開始前少なくとも１年間又は少なくとも少なくとも２年間診断されていた、請求項１〜１０のいずれか１項に記載の使用のための組み合わせ医薬。
【請求項１２】
組み合わせの投与が：
（ｉ）  少なくとも４週間、化合物（ｂ）及び（ｃ）を投与する工程、並びに
（ｉｉ）  化合物（ａ）、（ｂ）及び（ｃ）の投与による処置を継続する工程
を含み、
ここで、工程（ｉ）において投与しようとする化合物（ｂ）の量は、所定の空腹時血漿グルコースレベル若しくは／及び所定の自己測定血漿グルコースレベルが達成されるか又は所定の空腹時血漿グルコースレベル若しくは／及び所定の自己測定血漿グルコースレベルに少なくとも近くなるように調整される、請求項１〜１１のいずれか１項に記載の使用のための組み合わせ医薬。
【請求項１３】
工程（ｉ）において投与しようとする化合物（ｂ）の量は、
（Ｉ）  約４．４  ｍｍｏｌ／ｌ〜約５．６ｍｍｏｌ／ｌの空腹時血漿グルコースレベル若しくは／及び空腹時自己測定血漿グルコースレベル、又は／並びに
（ＩＩ）  約７．８ｍｍｏｌ／ｌ（又は約１４０ｍｇ／ｄｌ）又はそれ以下の自己測定血漿グルコースレベル（ＳＭＰＧ）
が達成されるか又は少なくともこれらに近くなるように調整される、請求項１２に記載の使用のための組み合わせ医薬。
【請求項１４】
（ＩＩ）における自己測定血漿グルコースレベルは、４ポイント自己測定血漿グルコースレベル又は７ポイント自己測定血漿グルコースレベルである、請求項１３に記載の使用のための組み合わせ医薬。
【請求項１５】
（ａ）  リキシセナチド若しくは／及びその薬学的に許容しうる塩が、非経口投与用に製造され、
（ｂ）  インスリングラルギン若しくは／及びその薬学的に許容しうる塩が、非経口投与用に製造され、又は／かつ
（ｃ）  メトホルミン若しくは／及びその薬学的に許容しうる塩は、経口投与用に製造される、
請求項１〜１４のいずれか１項に記載の使用のための組み合わせ医薬。
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
宿主細胞及び／又は宿主細胞の細胞内区画の細胞内ｐＨを増加させる薬剤、並びに
殺菌剤
を含む、治療を必要とする対象における細菌感染の治療キット。
【請求項２】
前記細菌感染が、細胞内及び／若しくは持続性細菌感染並びに／又はスタフィロコッカス感染、好ましくはＳ．アウレウス感染である、請求項１に記載のキット。
【請求項３】
前記宿主細胞が治療を必要とする対象内の真核宿主細胞であり、及び／又は前記細胞内区画がファゴリソソームである、請求項１又は２に記載のキット。
【請求項４】
前記細胞内ｐＨ及び／又は前記細胞内区画のｐＨを増加させる前記薬剤が、アルカリ化薬剤、好ましくはリソソーム作用アルカリ化薬剤であり、好ましくはクロロキン、バフィロマイシンＡ１、塩化アンモニウムの群から選択される、請求項１〜３のいずれか一項に記載のキット。
【請求項５】
前記殺菌剤が、前記宿主細胞及び／又は前記宿主細胞の細胞内区画に侵入できる殺菌剤である、請求項１〜４のいずれか一項に記載のキット。
【請求項６】
前記殺菌剤が、バクテリオシン又はその機能的部分、細菌自己溶解素又はその機能的部分、バクテリオファージ溶解素又はその機能的部分、抗菌ペプチド及び抗生物質からなる群から選択される、請求項１〜５のいずれか一項に記載のキット。
【請求項７】
前記抗生物質が、ペニシリン誘導体、セファロスポリン、モノバクタム、カルバペネム等のβ−ラクタム抗生物質、バンコマイシン、ダプトマイシン、フルオロキノロン、メトロニダゾール、ニトロフラントイン、コトリモキサゾール、テリスロマイシン、アミノグリコシド系抗生物質、より好ましくはフルクロキサシリンからなる群から選択される、請求項１〜６のいずれか一項に記載のキット。
【請求項８】
前記殺菌剤が、細胞壁溶解酵素由来の機能的酵素ドメインを含み、好ましくはタンパク質形質導入ドメインを更に含む、請求項１〜７のいずれか一項に記載のキット。
【請求項９】
前記殺菌剤が、抗菌ペプチドを更に含む、請求項８に記載のキット。
【請求項１０】
前記殺菌剤が、細胞壁結合ドメインを更に含む、請求項８又は９に記載のキット。
【請求項１１】
前記タンパク質形質導入ドメインが、配列番号１２〜２５又はそのバリアントからなる群から選択される、請求項８〜１０のいずれか一項に記載のキット。
【請求項１２】
細胞壁溶解酵素由来の前記機能的酵素ドメインが、配列番号１〜７又はそのバリアントからなる群から選択される、請求項８〜１１のいずれか一項に記載のキット。
【請求項１３】
前記細胞壁結合ドメインが、配列番号８〜１１又はそのバリアントからなる群から選択される、請求項８〜１２のいずれか一項に記載のキット。
【請求項１４】
前記抗菌ペプチドが、配列番号７０〜９０又はそのバリアントからなる群から選択される、請求項８〜１３のいずれか一項に記載のキット。
【請求項１５】
配列番号１〜７若しくはそのバリアントからなる群から選択される細胞壁溶解酵素由来の機能的酵素ドメイン及び配列番号１２〜２５若しくはそのバリアントからなる群から選択されるタンパク質形質導入ドメインを含み、任意選択で配列番号８〜１１若しくはそのバリアントからなる群から選択される細胞壁結合ドメイン及び／又は配列番号７０〜９０若しくはそのバリアントからなる群から選択される抗菌ペプチドを含む、キメラ殺菌ポリペプチド。
【請求項１６】
配列番号２７〜４７からなる群から選択される配列と少なくとも４０％の配列同一性を有するか、又は配列番号５０〜６７からなる群から選択される配列と少なくとも４０％の配列同一性を有するポリヌクレオチド配列によってコードされた殺菌剤である、請求項１５に記載のキメラ殺菌ポリペプチド。
【請求項１７】
請求項１５に記載のキメラ細菌ポリペプチドをコードするポリヌクレオチド。
【誤訳訂正書】
【提出日】令和1年5月28日(2019.5.28)
【誤訳訂正１】
【訂正対象書類名】特許請求の範囲
【訂正対象項目名】全文
【訂正方法】変更
【訂正の内容】
【特許請求の範囲】
【請求項１】
水蒸気、及び、エチルベンゼンからスチレンへの脱水素を触媒するのに適した触媒の存在下にて、エチルベンゼンが、スチレンへの脱水素を中で受けているリアクターを、シャットダウンすることを含むプロセスであって、該リアクターのシャットダウンは、以下：
該リアクターの温度を下げること；
該リアクターへのインプット流の水蒸気対エチルベンゼンモル比を上げてパージ流を形成すること；及び
該パージ流を該リアクターに供給すること
を含み、
前記リアクターのシャットダウンの間、前記パージ流の前記水蒸気対エチルベンゼンモル比が、１２：１から５０：１まで連続的に維持されると同時に、該リアクターの温度が５５０℃〜４５０℃の範囲内であり、
前記触媒は、カリウムを助触媒とする酸化鉄を含む、
プロセス。
【請求項２】
前記リアクターをシャットダウンすることは、水蒸気のみのパージ流を使用することなく行われる、請求項１に記載のプロセス。
【請求項３】
前記パージ流を前記リアクターに供給した後に、該リアクターの温度をさらに下げることを含む、請求項１に記載のプロセス。
【請求項４】
前記パージ流の前記リアクターへの供給を続けながら、同時に前記リアクターの温度をさらに下げることをさらに含む、請求項３に記載のプロセス。
【請求項５】
前記リアクターの温度をさらに下げる前に、該リアクターへの前記パージ流の供給を止めることをさらに含む、請求項３に記載のプロセス。
【請求項６】
前記パージ流の前記リアクターへの供給を止めること、及び、該リアクターに不活性ガスパージ流を供給することをさらに含む、請求項３に記載のプロセス。
【請求項７】
前記リアクターへの前記不活性ガスパージ流の供給後に、該リアクターの温度をさらに下げることをさらに含む、請求項６に記載のプロセス。
【請求項８】
前記パージ流を前記リアクターに供給した後、エチルベンゼンの前記リアクターへの導入を止めて、水蒸気のみのパージ流を形成すること、及び、水蒸気のみのパージ流を該リアクターに供給することをさらに含む、請求項１に記載のプロセス。
【請求項９】
前記水蒸気のみのパージ流の前記リアクターへの供給後に、該リアクターの温度がさらに下げられる、請求項８に記載のプロセス。
【請求項１０】
前記パージ流が、１２：１から５０：１までの水蒸気対エチルベンゼンモル比を有する、請求項１に記載のプロセス。
【請求項１１】
前記リアクターの温度が、６５０℃未満〜３６０℃の範囲に下げられる、請求項１に記載のプロセス。
【請求項１２】
前記リアクターをシャットダウンした後、前記触媒又はその凝集した触媒粒子が、該リアクターをシャットダウンする前の該触媒によって示される平均破砕強度よりも低い平均破砕強度を示す、請求項１に記載のプロセス。
【請求項１３】
前記パージ流が前記リアクターに導入された時点から該パージ流が不活性ガスパージ流に置き換わるまで、該パージ流の前記水蒸気対エチルベンゼンモル比が１２：１から５０：１まで連続的に維持される、請求項１に記載のプロセス。
【請求項１４】
エチルベンゼンからスチレンへの脱水素を触媒するのに適した触媒の存在下にてエチルベンゼンがスチレンへの脱水素を中で受けているリアクターを、シャットダウンすることを含むプロセスであって、該触媒は、カリウムを含み、該リアクターのシャットダウンは、以下：
該リアクターの温度を下げること；
該リアクターへのインプット流の水蒸気対エチルベンゼンモル比を上げてパージ流を形成すること；
該パージ流を該リアクターに供給すること；及び
該パージ流の該リアクターへの供給を止めて、不活性ガスパージ流を該リアクターに供給すること
を含み、ここで、該リアクターをシャットダウンすることは、水蒸気のみのパージ流を使用せずに行われる、
プロセス。
【請求項１５】
エチルベンゼンからスチレンへの脱水素を触媒するのに適した触媒の存在下にてエチルベンゼンがスチレンへの脱水素を中で受けているリアクターを、シャットダウンすることを含むプロセスであって、該リアクターのシャットダウンは、以下：
該リアクターの温度を下げること；及び
該リアクターに水蒸気を含むパージ流を供給すること
を含み、該パージ流は、Ｈ2、ＣＯ2、スチレン又はこれらの組み合わせをさらに含み、
前記リアクターのシャットダウンの間、前記パージ流の前記水蒸気対エチルベンゼンモル比が、１２：１から５０：１まで連続的に維持されると同時に、該リアクターの温度が５５０℃〜４５０℃の範囲内であり、
前記触媒は、カリウムを助触媒とする酸化鉄を含む、
プロセス。
【請求項１６】
前記パージ流がＨ2を含む、請求項１５に記載のプロセス。
【請求項１７】
前記パージ流がＣＯ2を含む、請求項１５に記載のプロセス。
【請求項１８】
前記パージ流がスチレンを含む、請求項１５に記載のプロセス。
【誤訳訂正２】
【訂正対象書類名】明細書
【訂正対象項目名】００２８
【訂正方法】変更
【訂正の内容】
【００２８】
触媒は、Ｆｅ、Ｋ及びＣｅの１つ以上を含み得る。例えば、触媒は、カリウムを助触媒とする酸化鉄を含んでもよい。特定の実施形態において、触媒は、主に、カリウムを助触媒とする酸化鉄を含んでもよい。例えば、限定しないが、触媒は、触媒の全量に対して５０、又は６０、又は７０、又は８０、又は９０、又は９５重量％を超えるカリウムを助触媒とする酸化鉄を含んでもよい。
【誤訳訂正３】
【訂正対象書類名】明細書
【訂正対象項目名】００４６
【訂正方法】変更
【訂正の内容】
【００４６】
等温リアクターにおける凝集試験。試験ペレットを、助触媒として用いられるカリウム及び酸化鉄の工業用配合物の使用後触媒粉末並びに炭酸カリウムから調製した。粉末を、１４メッシュのふるいにかけ、そして７０：３０の使用後触媒対炭酸カリウムの重量比で混合した。混合物を、各ペレットについて、１．５ｇの粉末混合物を用い、２０００ｐｓｉに設定したプランジャ型に押し付けて１３ｍｍ径のペレットにした。ペレット厚は、約６．５ｍｍであった。ペレットを、支持金属棒の末端に取り付けたスクリーンワイヤーバスケット内に固定した。内部サーマルウェル（ｉｎｔｅｒｎａｌ  ｔｈｅｒｍａｌ  ｗｅｌｌ）を有さない１インチリアクターを使用し、１３ｍｍの使用後触媒／炭酸カリウムペレットを試験した。稼働はまた、脱水素生成物を有する反応流をシミュレーションするために、試験ペレットの上流の使用後触媒の２インチベッドを用いて行った。以下の実験を、以下で詳述するように行い、いくつかの異なるシナリオをシミュレーションした。触媒破砕試験装置を使用し、リアクターからの除去後のペレットの強度を測定した。試験ペレットの大きな直径ゆえに、７ｍｍ径金属棒をペレット上に配置して、ペレットを壊すために必要な有効圧力を、合理的なレベルまで下げた。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
下記式の化合物または該化合物の塩、該化合物の溶媒和物もしくは該化合物の塩の溶媒和物のうちの一つ。
【化１】
2018509426.tif 000001
［式中、
Ｒ１は、下記式の基：
【化２】
2018509426.tif 000002
を表し、
＊は、オキソピリジン環への結合箇所であり、
Ｒ６は、塩素を表し、
Ｒ７は、シアノ、ジフルオロメチルまたはジフルオロメトキシを表し、
Ｒ８は、水素またはフッ素を表し、
Ｒ２は、塩素またはメトキシを表し、
Ｒ３は、エチルを表し、
エチルは、ｔｅｒｔ−ブトキシ、イソプロポキシ、Ｃ３−Ｃ６−シクロアルキルオキシおよび４から６員のオキソ複素環オキシからなる群から選択される置換基で置換されており、
ｔｅｒｔ−ブトキシおよびイソプロポキシは、１から３個のフッ素置換基によって置換されていても良く、
シクロアルキルオキシおよびオキソ複素環オキシは、それぞれ独立にフッ素およびメチルからなる群から選択される１から２個の置換基によって置換されていても良く、
Ｒ４は、水素を表し、
Ｒ５は、下記式の基：
【化３】
2018509426.tif 000003
を表し、
＃は、窒素原子への結合箇所であり、
Ｒ９は、ヒドロキシカルボニルを表し、
Ｒ１０は、水素またはフッ素を表す。］
【請求項２】
Ｒ１が、下記式の基：
【化４】
2018509426.tif 000004
を表し、
＊が、オキソピリジン環への結合箇所であり、
Ｒ６が、塩素を表し、
Ｒ７が、シアノ、またはジフルオロメトキシを表し、
Ｒ８が、水素を表し、
Ｒ２が、メトキシを表し、
Ｒ３が、エチルを表し、
エチルが、ｔｅｒｔ−ブトキシ、イソプロポキシおよびシクロブチルオキシからなる群から選択される置換基によって置換されており、
シクロブチルオキシがメチル置換基によって置換されていても良く、
Ｒ４が、水素を表し、
Ｒ５が、下記式の基：
【化５】
2018509426.tif 000005
を表し、
＃が窒素原子への結合箇所であり、
Ｒ９が、ヒドロキシカルボニルを表し、
Ｒ１０が、水素を表す、
請求項１に記載の化合物、または該化合物の塩、該化合物の溶媒和物もしくは該化合物の塩の溶媒和物のうちの一つ。
【請求項３】
下記式を有する請求項１又は２に記載の化合物または該化合物の塩、該化合物の溶媒和物もしくは該化合物の塩の溶媒和物のうちの一つ。
【化６】
2018509426.tif 000006
［式中、Ｒ１、Ｒ２、Ｒ３、Ｒ４およびＲ５はそれぞれ、請求項１または２で定義の通りである。］
【請求項４】
請求項１に記載の式（Ｉ）の化合物または該化合物の塩、該化合物の溶媒和物もしくは該化合物の塩の溶媒和物の製造方法であって、
［Ａ］下記式の化合物：
【化７】
2018509426.tif 000007
［式中、
Ｒ１、Ｒ２、Ｒ３、Ｒ４およびＲ１０は請求項１で定義の通りであり、
Ｒ１４は、ｔｅｒｔ−ブチルを表す。］を酸と反応させて、下記式の化合物：
【化８】
2018509426.tif 000008
［式中、
Ｒ１、Ｒ２、Ｒ３、Ｒ４およびＲ１０はそれぞれ請求項１で定義の通りであり、
Ｒ９は、ヒドロキシカルボニルを表す。］を得るか、
または
［Ｂ］下記式の化合物：
【化９】
2018509426.tif 000009
［式中、
Ｒ１、Ｒ２、Ｒ３、Ｒ４およびＲ１０はそれぞれ請求項１で定義の通りであり、
Ｒ１４は、メチルまたはエチルを表す。］を塩基と反応させて、下記式の化合物：
【化１０】
2018509426.tif 000010
［式中、
Ｒ１、Ｒ２、Ｒ３、Ｒ４およびＲ１０はそれぞれ請求項１で定義の通りであり、
Ｒ９は、ヒドロキシカルボニルを表す。］を得る、方法。
【請求項５】
疾患の治療および／または予防のための請求項１から３のいずれか１項に記載の化合物。
【請求項６】
血栓性または血栓塞栓性障害の治療および／または予防方法で使用される請求項１から３のいずれか１項に記載の化合物。
【請求項７】
疾患の治療および／または予防のための医薬品の製造における、請求項１から３のいずれか１項に記載の化合物の使用。
【請求項８】
血栓性または血栓塞栓性障害の治療および／または予防のための医薬品の製造における、請求項１から３のいずれか１項に記載の化合物の使用。
【請求項９】
眼科疾患の治療および／または予防のための医薬品の製造における、請求項１から３のいずれか１項に記載の化合物の使用。
【請求項１０】
クローン病もしくは潰瘍性大腸炎などの腸の遺伝性血管浮腫または炎症性障害の治療および／または予防のための医薬品の製造における、請求項１から３のいずれか１項に記載の化合物の使用。
【請求項１１】
不活性で無毒性の医薬として好適な賦形剤と組み合わせて請求項１から３のいずれか１項に記載の化合物を含む医薬。
【請求項１２】
血栓性または血栓塞栓性障害の治療および／または予防のための請求項１１に記載の医薬。
【請求項１３】
眼科疾患の治療および／または予防のための請求項１１に記載の医薬。
【請求項１４】
クローン病もしくは潰瘍性大腸炎などの腸の遺伝性血管浮腫または炎症性障害の治療および／または予防のための請求項１１に記載の医薬。
【請求項１５】
治療上有効量の少なくとも一つの請求項１から３のいずれか１項に記載の化合物を含む、ヒトおよび動物での、血栓性もしくは血栓塞栓性障害または眼科障害またはクローン病もしくは潰瘍性大腸炎などの腸の遺伝性血管浮腫もしくは炎症性障害の治療のための医薬組成物。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
式（ＩＩ）：
2018509421.tif 000001
で表され、Ｘ線粉末回折スペクトルが２θ値で示されて約１４．６４、１８．７９、１９．３１、２０．１１、２１．２０、２２．４５、２６．７１°のところに回折ピークを有する、
ニンテダニブジエタンスルホン酸塩のＡ型結晶。
【請求項２】
Ｘ線粉末回折スペクトルが２θ値で示されて約５．８４、１２．２７、１４．６４、１７．２７、１７．６１、１８．１２、１８．７９、１９．３１、２０．１１、２１．２０、２２．４５、２４．５７、２６．７１°のところに回折ピークを有する、請求項１に記載のニンテダニブジエタンスルホン酸塩のＡ型結晶。
【請求項３】
Ｘ線粉末回折スペクトルが２θ値で示されて約５．８４、１２．２７、１３．２２、１４．６４、１５．５４、１７．２７、１７．６１、１８．１２、１８．７９、１９．３１、２０．１１、２１．２０、２１．８８、２２．４５、２３．１３、２３．９５、２４．５７、２６．７１°のところに回折ピークを有する、請求項２に記載のニンテダニブジエタンスルホン酸塩のＡ型結晶。
【請求項４】
ＤＳＣ測定図は約２５７℃のところに吸収ピークを有する、請求項１〜３のいずれか一項に記載のニンテダニブジエタンスルホン酸塩のＡ型結晶。
【請求項５】
結晶組成物であって、請求項１〜４のいずれか一項に記載のニンテダニブジエタンスルホン酸塩のＡ型結晶は、当該結晶組成物の重量の５０％以上、好ましくは８０％以上、より好ましくは９０％以上、最も好ましくは９５％以上を占める、結晶組成物。
【請求項６】
請求項１〜４のいずれか一項に記載のニンテダニブジエタンスルホン酸塩のＡ型結晶または請求項５に記載の結晶組成物を含む、医薬組成物。
【請求項７】
腫瘍性疾患、免疫疾患、免疫成分に関する病的状態、および線維症からなる群より選ばれる疾患または障害の予防または治療に使用するための、請求項１〜４のいずれか一項に記載のニンテダニブジエタンスルホン酸塩のＡ型結晶、請求項５に記載の結晶組成物、または請求項６に記載の医薬組成物。
【請求項８】
（ａ）ニンテダニブとエタンスルホン酸とを有機溶媒に溶解し、またはニンテダニブジエタンスルホン酸塩を有機溶媒に溶解するステップと、
（ｂ）得られた混合物を４０〜６０℃まで加熱し、アセトンを加えて結晶化をさせるステップとを含む、
請求項１〜４のいずれか一項に記載のニンテダニブジエタンスルホン酸塩のＡ型結晶の製造方法。
【請求項９】
前記ステップ（ａ）の中、前記有機溶媒はＣ１−Ｃ６アルカノール、好ましくはメタノールまたはエタノール、より好ましくはメタノールである、請求項８に記載の製造方法。
【請求項１０】
前記ステップ（ａ）の中、前記ニンテダニブまたはニンテダニブジエタンスルホン酸塩の１モルごとに有機溶媒１０〜４０ｍＬ、好ましくは有機溶媒１０〜１５ｍＬを加える、請求項８に記載の製造方法。
【請求項１１】
前記ステップ（ａ）の中、前記エタンスルホン酸とニンテダニブとのモル比は２〜５：１であり、好ましくは３：１である、請求項８に記載の製造方法。
【請求項１２】
前記ステップ（ｂ）の中、前記アセトンの体積は、前記ステップ（ａ）の中の前記有機溶媒の体積の２倍以上であり、好ましくは２〜８倍である、請求項８に記載の製造方法。
【請求項１３】
前記ステップ（ｂ）の中、前記アセトンを加えて結晶化させる過程において、温度が４０〜６０℃に維持される、請求項８に記載の製造方法。
【請求項１４】
（ｃ）濾過するステップと、（ｄ）乾燥するステップとをさらに含む、請求項８に記載の製造方法。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
それを必要とする対象において、膀胱癌を処置する方法に使用するための免疫複合体であって、アミノ酸２５２−６０８からなるＰｓｅｕｄｏｍｏｎａｓ属外毒素Ａの切断型形態に融合したｓｃＦｖヒト化抗体４Ｄ５ＭＯＣ−Ｂを含み、
１．前記免疫複合体が、前記対象に、少なくとも約６週連続の第１の投薬期間、週２回投与され、
２．その後、第２の投薬期間、前記免疫複合体が、少なくとも約６週連続の期間、週１回投与され、
３．その後、第３の投薬期間、前記免疫複合体が、隔週で週１回投与され、
４．前記免疫複合体が、前記第１の投薬期間に先立って、前記対象の膀胱から、経尿道切除を介してＮＭＩＢＣ腫瘍を除去された対象に投与される、免疫複合体。
【請求項２】
前記膀胱癌が、非筋肉侵襲性膀胱癌（ＮＭＩＢＣ）であり、前記ＮＭＩＢＣが、上皮内癌（ＣＩＳ）、Ｔａ、またはＴ１と分類される、請求項１に記載の免疫複合体。
【請求項３】
前記免疫複合体の前記第１の投薬を施す前に、前記対象の膀胱から腫瘍が除去される、請求項１または２に記載の免疫複合体。
【請求項４】
前記対象が、ＢＣＧおよび／またはインターフェロンで以前に処置されており、前記膀胱癌が、ＢＣＧレフラクティブまたはＢＣＧ抵抗性である、請求項１〜３のいずれか一項に記載の免疫複合体。
【請求項５】
前記ｓｃＦｖが、配列番号３に対する相同性が少なくとも８０％であるアミノ酸配列を含むヒト化ｓｃＦｖである、請求項１〜４のいずれか一項に記載の免疫複合体。
【請求項６】
前記Ｐｓｅｕｄｏｍｏｎａｓ属外毒素Ａの切断型形態が、配列番号１１に対する相同性が少なくとも８０％であるアミノ酸配列を含む、請求項１〜５のいずれか一項に記載の免疫複合体。
【請求項７】
前記ｓｃＦｖヒト化抗体が、配列番号１０に対する相同性が少なくとも８０％であるアミノ酸配列を含むペプチドリンカーによって前記Ｐｓｅｕｄｏｍｏｎａｓ属外毒素Ａの切断型形態に接続している、請求項１〜６のいずれか一項に記載の免疫複合体。
【請求項８】
前記免疫複合体が、前記対象に、１用量あたり１０ｍｇ〜６０ｍｇの用量レベルにて投与される、請求項１〜７のいずれか一項に記載の免疫複合体。
【請求項９】
前記免疫複合体が、膀胱中への滴下注入によって投与され：
（ａ）前記免疫複合体が膀胱内に２時間保持される；あるいは
（ｂ）前記免疫複合体が膀胱内にある間、前記対象が、立位、腹臥位、背臥位、ならびに左側臥位および右側臥位の姿勢にあり、任意に、前記対象が、各姿勢に、１姿勢あたり少なくとも１５分間ある；
請求項１〜８のいずれか一項に記載の免疫複合体。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
Ｅ−ＨＦＯ−１３３６ｍｚｚと、ＨＦＯ−１２４３ｚｆ、ＨＣＣ−４０、ＨＣＦＯ−１２２３、ＣＦＣ−１１３ａ、ＣＦＣ−１１３、ＣＦＣ−１１、ＨＦＯ−１４２９、ＨＦＣ−４４９、ＨＦＣ−３６５、ＨＦＯ−１３２７、ＨＦＯ−１１３２、ＨＣＦＣ−１２３ａ、クロロブタン、エチルベンゼン、ｏ−キシレン、ｍ−キシレン、ｐ−キシレン、ＨＣＦＯ−１３３４、及びＨＣＦＯ−１３３３からなる群から選択される少なくとも１つの付加化合物とを含む、組成物。
【請求項２】
ＨＦＣ−３５６、ＨＣＦＣ−１２３、ＨＣＦＣ−１３３ａ、ＨＦＣ−１４３ａ、ＨＣＦＯ−１１２２、ＨＣＦＯ−１１２２ａ、ＣＦＯ−１３１６、ＨＣＦＯ−１３３５、ＨＦＯ−１３４５、及びＨＣＦＯ−１３２６からなる群から選択される少なくとも１つのトレーサー化合物を更に含む、請求項１に記載の組成物。
【請求項３】
請求項１又は２に記載の組成物であって：
Ｅ−ＨＦＯ−１３３６ｍｚｚ、ＨＦＯ−１４２９、及びＨＣＦＯ−１３３５；
Ｅ−ＨＦＯ−１３３６ｍｚｚ、ＨＦＯ−１４２９、及びＨＦＯ−１３４５；
Ｅ−ＨＦＯ−１３３６ｍｚｚ、ＨＦＯ−１４２９、及びＨＣＦＣ−１２３；
Ｅ−ＨＦＯ−１３３６ｍｚｚ、ＨＦＯ−１４２９、及びＣＦＣ−１１；
Ｅ−ＨＦＯ−１３３６ｍｚｚ、ＨＦＯ−１４２９、ＨＣＦＯ−１３３５、及びＨＦＯ−１３４５；
Ｅ−ＨＦＯ−１３３６ｍｚｚ、ＨＦＯ−１４２９、ＨＣＦＯ−１３３５、及びＨＣＦＣ−１２３；
Ｅ−ＨＦＯ−１３３６ｍｚｚ、ＨＦＯ−１４２９、ＨＣＦＯ−１３３５、及びＣＦＣ−１１；
Ｅ−ＨＦＯ−１３３６ｍｚｚ、ＨＦＯ−１４２９、ＨＦＯ−１３４５、及びＨＣＦＣ−１２３；
Ｅ−ＨＦＯ−１３３６ｍｚｚ、ＨＦＯ−１４２９、ＨＦＯ−１３４５、及びＣＦＣ−１１；
Ｅ−ＨＦＯ−１３３６ｍｚｚ、ＨＦＯ−１４２９、ＨＣＦＯ−１３３５、ＨＦＯ−１３４５、及びＨＣＦＣ−１２３；
Ｅ−ＨＦＯ−１３３６ｍｚｚ、ＨＣＦＯ−１３３５、及びＨＦＯ−１３４５；
Ｅ−ＨＦＯ−１３３６ｍｚｚ、ＨＣＦＯ−１３３５、及びＨＣＦＣ−１２３；
Ｅ−ＨＦＯ−１３３６ｍｚｚ、ＨＣＦＯ−１３３５、及びＣＦＣ−１１；
Ｅ−ＨＦＯ−１３３６ｍｚｚ、ＨＣＦＯ−１３３５、及びＨＣＦＯ−１３３４；
Ｅ−ＨＦＯ−１３３６ｍｚｚ、ＨＣＦＯ−１３３５、ＨＦＯ−１３４５、及びＨＣＦＣ−１２３；
Ｅ−ＨＦＯ−１３３６ｍｚｚ、ＨＦＯ−１３４５、及びＨＣＦＣ−１２３；
Ｅ−ＨＦＯ−１３３６ｍｚｚ、ＨＦＯ−１３４５、及びＣＦＣ−１１；
Ｅ−ＨＦＯ−１３３６ｍｚｚ、ＨＦＣ−３６５、及びＨＣＦＯ−１３２６；
Ｅ−ＨＦＯ−１３３６ｍｚｚ、ＨＦＣ−３６５、及びＣＦＣ−１１；
Ｅ−ＨＦＯ−１３３６ｍｚｚ、ＨＦＯ−１２４３ｚｆ、及びＨＣＦＯ−１１２２；
Ｅ−ＨＦＯ−１３３６ｍｚｚ、ＨＦＯ−１２４３ｚｆ、及びＨＣＣ−４０；
Ｅ−ＨＦＯ−１３３６ｍｚｚ、ＨＣＦＯ−１１２２、及びＨＣＣ−４０；
Ｅ−ＨＦＯ−１３３６ｍｚｚ、ＨＦＯ−１２４３ｚｆ、ＨＣＦＯ−１１２２、及びＨＣＣ−４０；
Ｅ−ＨＦＯ−１３３６ｍｚｚ、ＣＦＣ−１１３ａ、及びＨＦＣ−３６５；並びに
Ｅ−ＨＦＯ−１３３６ｍｚｚ、ＣＦＣ−１１３ａ、及びＣＦＣ−１１
からなる群から選択される少なくとも１つの組成物を含む、組成物。
【請求項４】
冷却を実現するための方法であって、請求項１〜３のいずれか一項に記載の組成物を、冷却対象物の近傍において蒸発させる工程と、その後、前記組成物を凝縮する工程と、を含む、方法。
【請求項５】
加熱を実現するための方法であって、請求項１〜３のいずれか一項に記載の組成物を、加熱対象物の近傍において凝縮する工程と、その後、前記組成物を蒸発させる工程と、を含む、方法。
【請求項６】
泡を形成する方法であって、（ａ）発泡性組成物に、請求項１〜３のいずれか一項に記載の組成物を加える工程と、（ｂ）泡の形成に有効な条件下にて前記発泡性組成物を処理する工程と、を含む、方法。
【請求項７】
エアロゾル生成物を生成するためのプロセスであって、請求項１〜３のいずれか一項に記載の組成物を、エアロゾル容器内の有効成分を含む配合物に加える工程を含み、前記組成物は、推進剤として機能する、プロセス。
【請求項８】
熱を機械エネルギーに変換するためのプロセスであって、請求項１〜３のいずれか一項に記載の前記組成物を含む作動流体を加熱する工程と、その後、前記加熱された作動流体を膨張させる工程と、を含むプロセス。
【請求項９】
容器からの漏洩を検出するための方法であって、前記容器近傍の空気をサンプリングする工程と、少なくとも１つの付加化合物又は少なくとも１つのトレーサー化合物を、漏洩を検出するための手段を用いて検出する工程と、を含む方法であって、請求項１に記載の前記組成物は、前記容器内に含まれている、方法。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
生のポテトから得られたポテト多糖調製物を含む、アルツハイマー病を有する哺乳動物内のアミロイドβレベルを減少させるための組成物。
【請求項２】
哺乳動物がヒトである、請求項1記載の組成物。
【請求項３】
哺乳動物内のアミロイドβのレベルが血中で減少する、請求項1記載の組成物。
【請求項４】
哺乳動物内のアミロイドβのレベルが脂肪組織中で減少する、請求項1記載の組成物。
【請求項５】
ポテト多糖調製物のポテト多糖成分を哺乳動物の体重1kg当たり0.05mg〜50mgでもたらす量の該ポテト多糖調製物を含む、請求項1記載の組成物。
【請求項６】
ポテト多糖調製物を1mg〜100mg含む、請求項1記載の組成物。
【請求項７】
ポテト多糖調製物を6mg〜20mg含む、請求項1記載の組成物。
【請求項８】
ポテト多糖調製物のポテト多糖成分を1mg〜100mg含む、請求項1記載の組成物。
【請求項９】
ポテト多糖調製物のポテト多糖成分を6mg〜20mg含む、請求項1記載の組成物。
【請求項１０】
錠剤の形態である、請求項1記載の組成物。
【請求項１１】
αリポ酸を含む、請求項1記載の組成物。
【請求項１２】
αトコフェロールを含む、請求項1記載の組成物。
【請求項１３】
ポテト多糖調製物のポテト多糖成分を哺乳動物の体重1kg当たり0.075mg〜0.5mgでもたらす量の該ポテト多糖調製物を含む、請求項1記載の組成物。
【請求項１４】
ポテト多糖調製物の少なくとも約80パーセントがポテト多糖である、請求項1記載の組成物。
【請求項１５】
ポテト多糖調製物の少なくとも約90パーセントがポテト多糖である、請求項1記載の組成物。
【請求項１６】
ポテト多糖調製物の少なくとも約95パーセントがポテト多糖である、請求項1記載の組成物。
【手続補正２】
【補正対象書類名】明細書
【補正対象項目名】００１２
【補正方法】変更
【補正の内容】
【００１２】
[本発明1001]
アルツハイマー病を有する哺乳動物内のアミロイドβレベルを減少させるための方法であって、生のポテトから得られたポテト多糖調製物を含む組成物を該哺乳動物に投与する工程を含み、該哺乳動物内のアミロイドβのレベルが減少される、方法。
[本発明1002]
哺乳動物がヒトである、本発明1001の方法。
[本発明1003]
哺乳動物内のアミロイドβのレベルが血中で減少する、本発明1001の方法。
[本発明1004]
哺乳動物内のアミロイドβのレベルが脂肪組織中で減少する、本発明1001の方法。
[本発明1005]
組成物が、哺乳動物に投与されるポテト多糖調製物のポテト多糖成分を該哺乳動物の体重1kg当たり0.05mg〜50mgでもたらす量の該ポテト多糖調製物を含む、本発明1001の方法。
[本発明1006]
組成物が、ポテト多糖調製物を1mg〜100mg含む、本発明1001の方法。
[本発明1007]
組成物が、ポテト多糖調製物を6mg〜20mg含む、本発明1001の方法。
[本発明1008]
組成物が、ポテト多糖調製物のポテト多糖成分を1mg〜100mg含む、本発明1001の方法。
[本発明1009]
組成物が、ポテト多糖調製物のポテト多糖成分を6mg〜20mg含む、本発明1001の方法。
[本発明1010]
組成物が錠剤の形態である、本発明1001の方法。
[本発明1011]
組成物がαリポ酸を含む、本発明1001の方法。
[本発明1012]
組成物がαトコフェロールを含む、本発明1001の方法。
[本発明1013]
ポテト多糖調製物が、哺乳動物に投与されるポテト多糖調製物のポテト多糖成分を該哺乳動物の体重1kg当たり0.075mg〜0.5mgでもたらす量である、本発明1001の方法。
[本発明1014]
ポテト多糖調製物の少なくとも約80パーセントがポテト多糖である、本発明1001の方法。
[本発明1015]
ポテト多糖調製物の少なくとも約90パーセントがポテト多糖である、本発明1001の方法。
[本発明1016]
ポテト多糖調製物の少なくとも約95パーセントがポテト多糖である、本発明1001の方法。
本発明の他の特徴および利点は、下記の詳細な説明から、および特許請求の範囲から明らかになるであろう。